(57)【要約】【課題】液晶パネルの液晶層の温度を、実装上の制限を受けることなく、検出する。【解決手段】液晶パネル１００は、走査線１１２とデータ線１１４との交点に応じて設けられた液晶素子を備え、液晶素子は、画素電極とコモン電極１０８とにより液晶層を挟持する。コモン電極１０８には、給電線７０を介して電圧ＬＣcomが印加され、抵抗素子６０は、給電線７０に介挿されている。温度出力回路３５は、抵抗素子６０の両端間に発生する電圧、すなわち、液晶層に流れた電流に抵抗値を乗じた値から、予め求めた特性を用いて、液晶パネル１００の液晶層の温度情報を算出する。【選択図】図１
2011118048.tif 000002
【特許請求の範囲】
【請求項１】
液晶層を介して対向する一対の基板と、
走査線およびデータ線の交差に対応して設けられ、前記液晶層を駆動する一対の電極と、
前記一対の電極に駆動電圧を印加する駆動回路と、
前記駆動電圧の印加により前記液晶層に流れる電流に応じた値を検出する電流検出素子と、
前記液晶層に流れる電流に応じた値に基づいて前記液晶層の温度情報を出力する温度情報出力回路と
を具備することを特徴とする液晶装置。
【請求項２】
液晶層を介して対向する第１基板と第２基板と、
走査線およびデータ線の交差に対応して設けられ、前記液晶層を駆動する第１電極および第２電極と、
前記第１電極に給電線を介して第１電圧を供給する第１供給回路と、
前記第２電極に前記データ線を介して前記第１電圧とは異なる第２電圧を印加する第２供給回路と、
前記給電線に介挿された抵抗素子を備え、前記第１電圧および第２電圧の印加により前記液晶層に流れる電流に応じた値を検出する電流検出素子と、
前記液晶層に流れる電流に応じた値に基づいて前記液晶層の温度情報を出力する温度情報出力回路と
を具備することを特徴とする液晶装置。
【請求項３】
前記温度出力回路は、
前記液晶層に流れる電流に応じた値に対する温度の関係を予め記憶したテーブルを有し、該テーブルを参照して、前記電流検出素子によって検出された電流を前記液晶層の温度情報に変換する
ことを特徴とする請求項１又は２に記載の液晶装置。
【請求項４】
前記温度出力回路は、
前記第１電極に、給電線を介して第１電圧が印加され、前記第２電極に、前記データ線を介して前記第２電圧が印加されたときに、前記電流検出素子によって検出された液晶層に流れる電流に応じた値の飽和値を前記液晶層の温度情報に変換する
ことを特徴とする請求項２に記載の液晶装置。
【請求項５】
前記温度出力回路は、
前記第１電極に、給電線を介して第１電圧が印加され、前記第２電極に、前記データ線を介して前記第２電圧が印加されたときに、前記電流検出素子によって検出された液晶層に流れる電流に応じた値の検出波形に現れる第２ピークの値を前記液晶層の温度情報に変換する
ことを特徴とする請求項２に記載の液晶装置。
【請求項６】
前記温度出力回路は、
前記電流検出素子によって検出された電流波形において、
前記第１電極に、給電線を介して第１電圧が印加され、前記第２電極に、前記データ線を介して前記第２電圧が印加されたときから、前記電流検出素子によって検出された液晶層に流れる電流に応じた値の第２ピークが現れるまでの到達時間を前記液晶層の温度情報に変換する
ことを特徴とする請求項２に記載の液晶装置。
【請求項７】
前記電流検出素子は、前記抵抗素子の両端間に発生する電圧を濾波するローパスフィルターと、
前記走査線を順次選択する走査線駆動回路と、
を備え、
前記温度出力回路は、前記ローパスフィルターの出力電圧に基づいて前記液晶層の温度情報を出力する
ことを特徴とする請求項２に記載の液晶装置。
【請求項８】
液晶層を介して対向する一対の基板と、
走査線およびデータ線の交差に対応して設けられ、前記液晶層を駆動する第１電極および第２電極と、
前記第１電極に給電線を介して第１電圧を供給する第１供給回路と、
前記第２電極に前記データ線を介して前記第１電圧とは異なる第２電圧を印加する第２供給回路と、
前記給電線に介挿された抵抗素子を備え、前記第１電圧および第２電圧の印加により前記液晶層に流れる電流に応じた値を検出する電流検出素子と、
前記液晶層に流れる電流に応じた値に基づいて前記液晶層の温度情報を出力する温度情報出力回路とを備えた液晶装置の温度検出方法であって、
前記第１電極に、前記給電線を介して第１電圧を印加すると共に、前記第２電極に、前記データ線を介して前記第２電圧を印加した際に、前記電流検出素子によって検出される液晶層に流れる電流に応じた値の飽和値を前記液晶層の温度情報に変換する
ことを特徴とする液晶装置の温度検出方法。
【請求項９】
液晶層を介して対向する一対の基板と、
走査線およびデータ線の交差に対応して設けられ、前記液晶層を駆動する第１電極および第２電極と、
前記第１電極に給電線を介して第１電圧を供給する第１供給回路と、
前記第２電極に前記データ線を介して前記第１電圧とは異なる第２電圧を印加する第２供給回路と、
前記給電線に介挿された抵抗素子を備え、前記第１電圧および第２電圧の印加により前記液晶層に流れる電流に応じた値を検出する電流検出素子と、
前記液晶層に流れる電流に応じた値に基づいて前記液晶層の温度情報を出力する温度情報出力回路とを備えた液晶装置の温度検出方法であって、
前記第１電極に、給電線を介して第１電圧を印加すると共に、前記第２電極に、前記データ線を介して前記第２電圧を印加した際に、前記電流検出素子によって検出される液晶層に流れる電流に応じた値の検出波形に現れる第２ピークの値を前記液晶層の温度情報に変換する
ことを特徴とする液晶装置の温度検出方法。
【請求項１０】
請求項８又は９に記載の液晶装置を有することを特徴とする電子機器。
【発明の詳細な説明】
【技術分野】
【０００１】
本発明は、液晶層の温度を、より正確に検出する技術に関する。
【背景技術】
【０００２】
液晶パネルにおける液晶素子では、温度に応じて応答速度が変化して、表示品位が低下する。このため、液晶パネル近傍に温度センサーを設けるとともに、検出した温度に応じて各種の制御を行う技術が提案されている（特許文献１）。
【先行技術文献】
【特許文献】
【０００３】
【特許文献１】特開平９−９６７９６号公報（図２参照）
【発明の概要】
【発明が解決しようとする課題】
【０００４】
しかしながら、温度センサーは、液晶パネル近傍の温度を検出することができるが、液晶パネルの液晶層における温度を測定することができない。このため、温度センサーで検出される温度は、液晶パネルの液晶層における実際の温度に対して誤差を伴いやすく、各種の制御を正確に実行することができない、という問題が懸念された。また、温度センサーについては、外部温度の影響を受けにくい地点に設けなければならないが、表示装置に小型化・額縁狭小化などが要求される場合には、温度センサーを設ける地点が制限される、という難点もある。
本発明は、上述した事情に鑑みてなされたもので、その目的の１つは、液晶パネルの液晶層の温度を、実装上の制限を受けることがなく、より正確に検出することを可能とする技術を提供することにある。
【課題を解決するための手段】
【０００５】
上記課題を解決するために本発明に係る液晶装置は、液晶層を介して対向する一対の基板と、走査線およびデータ線の交差に対応して設けられ、前記液晶層を駆動する一対の電極と、前記一対の電極に駆動電圧を印加する駆動回路と、前記駆動電圧の印加により前記液晶層に流れる電流に応じた値を検出する電流検出素子と、前記液晶層に流れる電流に応じた値に基づいて前記液晶層の温度情報を出力する温度情報出力回路とを具備することを特徴とする。液晶層は、温度が上昇するにつれて比抵抗が下がる特性を有する。本発明は、液晶層に流れる電流に応じた値を検出するとともに、該特性を利用して、温度情報を出力しているので、液晶層の温度を、検出することが可能となる。なお、液晶層に流れる電流に応じた値を検出すれば良いので、電流検出素子を設ける地点に制限を受けにくい。
また、上記課題を解決するために本発明に係る液晶装置は、液晶層を介して対向する一対の基板と、走査線およびデータ線の交差に対応して設けられ、前記液晶層を駆動する第１電極および第２電極と、前記第１電極に給電線を介して第１電圧を供給する第１供給回路と、前記第２電極に前記データ線を介して前記第１電圧とは異なる第２電圧を印加する第２供給回路と、前記給電線に介挿された抵抗素子を備え、前記第１電圧および第２電圧の印加により前記液晶層に流れる電流に応じた値を検出する電流検出素子と、前記液晶層に流れる電流に応じた値に基づいて前記液晶層の温度情報を出力する温度情報出力回路とを具備することを特徴とする。
また、本発明において、前記温度出力回路は、前記液晶層に流れる電流に応じた値に対する温度の関係を予め記憶したテーブルを有し、該テーブルを参照して、前記電流検出素子によって検出された電流を前記液晶層の温度情報に変換する構成としても良い。この構成によれば、温度出力回路において演算等が不要となるので、構成の簡易化を図ることが可能となる。また、このように液晶層に流れる電流に応じた値を温度情報に変換する際し、液晶層に流れる電流に応じた値の飽和値や、第２ピークの波高値、第２ピークの到達時間に着目しても良い。
一方、本発明において、前記電流検出素子は、前記抵抗素子の両端間に発生する電圧を濾波するローパスフィルターと、前記走査線を順次選択する走査線駆動回路と、を備え、前記温度出力回路は、前記ローパスフィルターの出力電圧に基づいて前記液晶層の温度情報を出力する構成としても良い。この構成によれば、温度を検出するに際し、走査線の駆動を変更する必要がなくなる。
なお、本発明は、液晶装置のほか、温度検出方法、該液晶装置を有する電子機器としても概念することが可能である。
【図面の簡単な説明】
【０００６】
【図１】第１実施形態に係る液晶表示装置の構成を示す図である。
【図２】同液晶表示装置における液晶パネルの構成を示す図である。
【図３】同液晶表示装置における画素の構成を示す図である。
【図４】同液晶表示装置における電流と温度との関係を示す図である。
【図５】同液晶表示装置における表示動作を示す図である。
【図６】同液晶表示装置における温度検出動作（Ａ）を示す図である。
【図７】同液晶表示装置における温度検出動作（Ｂ）を示す図である。
【図８】同温度検出動作（Ｂ）を示すフローチャートである。
【図９】第２実施形態に係る液晶表示装置の構成を示す図である。
【図１０】同液晶表示装置における温度検出動作（Ｃ）を示す図である。
【図１１】第３実施形態に係る液晶表示装置の構成を示す図である。
【図１２】同液晶表示装置におけるテーブルの変換内容を示す図である。
【図１３】同液晶表示装置を適用したプロジェクターを示す図である。
【発明を実施するための形態】
【０００７】
＜第１実施形態＞
以下、本発明を実施するための形態について説明する。
図１は、本発明の第１実施形態に係る液晶表示装置の構成を示す図である。第１実施形態に係る液晶表示装置１は、液晶の応答性を補償するためのルックアップテーブルを、検出した温度情報に応じて切り替えるものであり、その温度情報の出力について特徴がある。
この図に示されるように、液晶表示装置１は、走査制御回路２０、データ処理回路３０（第２供給回路）、Ａ／Ｄ変換回路３４、温度出力回路３５、コモン電極駆動回路４０（第１供給回路）、増幅回路５０、抵抗素子６０および液晶パネル１００を含む。この液晶表示装置１には、映像信号Ｖdが上位回路から同期信号Ｓyncに同期して供給される。この映像信号Ｖdは、液晶パネル１００の各画素に対し階調レベルをそれぞれ指定するデジタルデータであり、同期信号Ｓyncに含まれる垂直走査信号、水平走査信号およびドットクロック信号（いずれも図示省略）にしたがって走査される画素の順で供給される。
【０００８】
液晶パネル１００は、例えばアクティブマトリクス型の透過型であり、その表示領域では、４８０行の走査線１１２が図においてＸ（横）方向に延在し、また、６４０列のデータ線１１４が図においてＹ（縦）方向に延在し、かつ、各走査線１１２と互いに電気的に絶縁を保つように設けられるとともに、これらの走査線１１２とデータ線１１４との交差の各々に対応して、それぞれ画素１１０が配設されている。したがって、本実施形態では、画素１１０が、縦４８０行×横６４０列でマトリクス状に配設することになる。
なお、画素１１０の配設領域が、表示領域１０１となる。
【０００９】
図２（ａ）は、液晶パネル１００の構成を示す斜視図であり、図２（ｂ）は、図２（ａ）におけるＨ−Ｈ線の断面図である。
図に示されるように、液晶パネル１００は、画素電極１１８や各種配線等が形成されたＴＦＴアレイ基板１５０（第１基板）と、コモン電極１０８が形成された対向基板１５１（第２基板）とが、シール材１５２によって互いの電極形成面が対向するように貼り合わせられた構成となっている。
シール材１５２は、基板法線方向から平面視したときに対向基板１５１の縁辺に沿って枠状に形成されて、両基板を一定の間隙を保つように貼り合わせている。この間隙に液晶が封入されて、これにより液晶層１０５が形成されている。
ＴＦＴアレイ基板１５０においてシール材１５２の外側の周辺回路領域には、走査線駆動回路１３０、データ線駆動回路１４０が形成されている。また、ＴＦＴアレイ基板１５０においてデータ線駆動回路１４０に近接する縁辺には、複数の端子１０７が形成されている。上述した走査制御回路２０やデータ処理回路３０から出力される信号などは、各端子１０７を介して液晶パネル１００に入力される。
なお、図２（ａ）では、走査線駆動回路１３０は、Ｙ方向に延在する２辺に沿って領域にそれぞれ配置して、走査線１１２を両側から駆動する構成となっている。ただし、走査線１１２に供給される走査信号の遅延や歪みが問題にならないのであれば、片側にひとつの走査線駆動回路５を配置した構成でも良い。いずれにしても、回路的には、図１に示した片側１個の構成と等価である。
【００１０】
走査制御回路２０、データ処理回路３０、Ａ／Ｄ変換回路３４、温度出力回路３５、コモン電極駆動回路４０および増幅回路５０についてはモジュール化して、液晶パネル１００とは、ＦＰＣ（flexible printed circuit）基板を介して端子１０７に接続しても良い。このとき、抵抗素子６０および給電線７０については、該ＦＰＣ基板に含んでも良い。
また、これらのうち、データ処理回路３０、Ａ／Ｄ変換回路３４、温度出力回路３５、コモン電極駆動回路４０、増幅回路５０および抵抗素子６０については、ＴＦＴアレイ基板１５０において、シール材１５２の外側の周辺回路領域に配置しても良い。
いずれにしても、抵抗素子６０は、液晶パネル１００においてシール材１５２の外側に配置するのが好ましい。なぜならば、抵抗素子６０をシール材１５２の内側に配置すると、抵抗素子６０が発熱したときに、液晶層１０５の温度が部分的に変化することで、表示に影響したり、発熱による凹凸で液晶の配向に影響したり、する虞があるからである。
このように抵抗素子６０をシール材１５２の外側に配置する構成にすると、発熱体である抵抗素子６０が液晶層１０５に直接触れることがないので、液晶層１０５に影響を与えることなく、また、表示不良などの原因になる虞もない。
【００１１】
次に、画素１１０について図３を参照して説明する。この図に示されるように、画素１１０は、薄膜トランジスター（thin film transistor：以下単に「ＴＦＴ」と略称する）１１６と液晶素子１２０との組を含む。
ＴＦＴ１１６は、上述した走査線１１２、データ線１１４、画素電極１１８とともに、ＴＦＴアレイ基板１５０のうち、対向基板１５１に対向する面側に形成される。ＴＦＴ１１６のソース電極は、データ線１１４に接続され、ドレイン電極が画素電極１１８に接続される一方、ゲート電極が走査線１１２に接続されている。
上述したように、ＴＦＴアレイ基板１５０と対向基板１５１とは、互いの電極形成面が対向するように液晶層１０５を挟持する。このため、コモン電極１０８（第１電極）と画素電極１１８（第２電極）との間には、液晶層１０５が挟持され、これにより液晶素子１２０が構成される。この構成によって、画素１１０毎に、画素電極１１８、コモン電極１０８および液晶層１０５からなる液晶素子１２０が設けられることになる。
【００１２】
画素電極１１８は、画素毎に設けられるのに対して、コモン電極１０８は、画素電極１１８に対向するように全画素に対して共通に設けられる。このコモン電極１０８には、電圧ＬＣcom（第１電圧）がコモン電極駆動回路４０によって印加されている。
このような構成の液晶素子１２０は、コモン電極１０８および画素電極１１８の間で電圧を保持するとともに、透過型であれば、保持した電圧の実効値に応じた透過率となる。
なお、図３において破線で示す抵抗ＲＬＣは、液晶素子１２０における液晶層１０５の抵抗成分を示す。また、画素１１０には、補助容量Ｃsが設けられている。この補助容量Ｃsは、その一端が画素電極１１８に接続され、他端が補助容量電極１１９に共通接続されている。
【００１３】
説明を図１に戻すと、液晶パネル１００において、表示領域１０１の周辺には、走査線駆動回路１３０およびデータ線駆動回路１４０が、それぞれ設けられている。
このうち、走査線駆動回路１３０は、走査制御回路２０による制御信号Ｙctrにしたがって走査線１１２の１、２、３、…、４８０行目の各々に、走査信号Ｇ1、Ｇ2、Ｇ3、…、Ｇ480をそれぞれ供給するものである。
データ線駆動回路１４０は、走査制御回路２０による制御信号Ｘctrにしたがって、データ信号ｄsを、走査線駆動回路１３０によって選択される行の画素１１０の各々に対し、それぞれ１〜６４０列目のデータ線１１４を介して供給するものである。なお、１、２、３、…、６４０列目のデータ線１１４に供給されるデータ信号を、それぞれｄ1、ｄ2、ｄ3、…、ｄ640と表記する。
コモン電極駆動回路４０は、電圧ＬＣcomを、給電線７０を介してコモン電極１０８に印加するものである。抵抗素子６０は、給電線７０に介挿された電流検出素子である。増幅回路５０は、抵抗素子６０の両端間に発生する電圧を係数αにて増幅するものである。
【００１４】
Ａ／Ｄ変換回路（Ａ／Ｄ）３４は、増幅回路５０による出力電圧を予め定められたサンプリングレートでデジタル値に変換するものであり、温度出力回路３５は、デジタル値に変換された電圧から、液晶パネル１００における液晶層１０５の温度情報を出力するものである。
【００１５】
データ処理回路３０は、検出された温度情報に応じて映像信号Ｖdを補償し、データ信号ｄsとして出力するものであり、フレームメモリー３１、ルックアップテーブル（ＬＵＴ）３２およびＤ／Ａ変換回路（Ｄ／Ａ）３３を含む。
【００１６】
フレームメモリー３１は、映像信号Ｖdを一旦記憶するとともに、１フレーム経過後に映像信号を読み出して、Ｐdとして出力するものである。したがって、上位回路から同期信号Ｓyncに同期して、ある画素の映像信号Ｖdが供給されたとき、フレームメモリー３１からは、同じ画素であって、１フレーム前の映像信号Ｐdが読み出されて出力される構成となっている。
なお、フレームとは、画像１コマ分の映像信号Ｖdの供給に要する期間をいい、同期信号Ｓyncに含まれる垂直走査信号の周波数が６０Ｈｚであれば、その逆数である１６．７ミリ秒である。液晶パネル１００が、映像信号Ｖdの供給速度と同じ速度で駆動される場合であれば、フレームは、液晶パネル１００において１コマ分の画像を表示するのに要する期間と等しい。
【００１７】
ルックアップテーブル３２は、液晶の応答性を補償するための、いわゆるオーバードライブ変換を行うものであり、本実施形態では、温度に応じて低温域用、常温域用、高温域用の３種類を有する。ここで、ある温度域のルックアップテーブルは、映像信号Ｖdで指定される階調レベルと、１フレーム前の映像信号Ｐdで指定される階調レベルとの組み合わせに対応して、その温度域において最適な補償映像信号Ｖdaを予め記憶する二次元テーブルである。このため、ルックアップテーブルでは、映像信号Ｖd、Ｐdが入力されたときに、これら２つのデータで指定される階調レベルの組み合わせに対応した補償映像信号Ｖdaが読み出される構成となっている。
なお、いずれの温度域のルックアップテーブルが選択されるかについては、温度出力回路３５により出力される温度情報によって次のように決定される。すなわち、温度出力回路３５により出力された温度情報が、Ｔ1以下であれば低温域用のルックアップテーブルが選択され、Ｔ1を上回りＴ2以下であれば常温域用のルックアップテーブルが選択され、Ｔ2を上回れば高温域用のルックアップテーブルが選択される。
【００１８】
Ｄ／Ａ変換回路３３は、ルックアップテーブル３２から出力される補償映像信号Ｖdaを、信号Ｆrpで指定される極性のアナログ電圧に変換し、該変換した信号をデータ信号ｄsとして出力する。
なお、データ信号ｄsの極性については、ビデオ振幅中心電圧（基準電圧）Ｖcに対して高位側を正極性とし、低位側を負極性としている。また、信号Ｆrpは、Ｈレベルであるときに正極性を指定し、Ｌレベルであるときに負極性を指定するものとする。この信号Ｆrpは、走査制御回路２０から、例えば図５および図６に示されるように供給される。すなわち、フレームに相当する期間毎に論理レベルが反転する。
【００１９】
次に、本実施形態に係る液晶表示装置１の動作について説明する。
はじめに、液晶表示装置１における表示動作について図５を参照して説明する。なお、図において、ｎフレームでは、正極性書込が指定され、次の（ｎ＋１）フレームでは、負極性書込が指定されるものとする。
各フレームは、垂直有効走査期間Ｆaと垂直帰線期間Ｆbとに分けられ、このうち、垂直有効走査期間Ｆaにわたって、上位回路から映像信号Ｖdが１行１列〜１行６４０列、２行１列〜２行６４０列、３行１列〜３行６４０列、…、４８０行１列〜４８０行６４０列の画素の順番で供給される。一方、垂直帰線期間Ｆbの途中で、信号Ｆrpの論理レベルが切り替わる。
【００２０】
さて、走査線駆動回路１３０は、１行１列〜１行６４０列、すなわち１行目の画素に対応する映像信号Ｖdが供給される水平走査期間（Ｈ）において、走査制御回路２０による制御にしたがって走査信号Ｇ1をＨレベルにする。また、データ処理回路３０は、ｎフレームにおいて該映像信号Ｖdを正極性のデータ信号ｄsに変換する一方、データ線駆動回路１４０は、該データ信号ｄsを、走査制御回路２０による制御にしたがって１、２、３、…、６４０列目のデータ線１１４にデータ信号ｄ1、ｄ2、ｄ3、…、ｄ640としてサンプリングする。走査信号Ｇ1がＨレベルであると、１行目のＴＦＴ１１６がオン状態となるので、データ線１１４にサンプリングされたデータ信号は、オン状態にあるＴＦＴ１１６を介して画素電極１１８に印加される。このため、１行１列〜１行６４０列の液晶素子１２０には、それぞれ階調変化に応じて応答性が補償された正極性電圧が書き込まれる。
走査線駆動回路１３０は、２行目の画素に対応する映像信号Ｖdが供給される水平走査期間において走査信号Ｇ2をＨレベルにする一方、データ線駆動回路１４０は、２行目の画素に対応する映像信号Ｖdを変換したデータ信号ｄsを、１、２、３、…、６４０列目のデータ線１１４にサンプリングする。２行目のＴＦＴ１１６がオン状態となるので、データ線１１４にサンプリングされたデータ信号は、該ＴＦＴ１１６を介して画素電極１１８に印加され、これにより、２行１列〜２行６４０列の液晶素子１２０には、それぞれ階調変化に応じて応答性が補償された正極性電圧が書き込まれる。
【００２１】
以下同様な動作が、３、４、…、４８０行目に対して実行され、これにより、各液晶素子に、階調変化に応じて応答性が補償された正極性電圧が書き込まれて、ｎフレームにおける透過像が作成されることなる。
次の（ｎ＋１）フレームにおいては、信号Ｆrpの論理レベルが反転しているので、映像信号Ｖdが負極性となるが、それ以外については、ｎフレームと同様な書込動作が実行される。これにより、各液晶素子には、それぞれ階調変化に応じて応答性が補償された負極性電圧が書き込まれて、（ｎ＋１）フレームにおける透過像が作成されることになる。
【００２２】
なお、図５では、コモン電極１０８に印加する電圧ＬＣcomについては、ビデオ振幅中心である基準電圧Ｖcよりも若干低位側にオフセットされている。これは、ＴＦＴ１１６では、オンからオフした瞬間にドレイン電極、すなわち画素電極１１８の電圧を低下させるフィールドスルー（プッシュダウン、突き抜け）が発生するためである。詳細には、電圧ＬＣcomを、正負振幅の基準電圧Ｖcに一致させると、液晶素子に印加される電圧の実効値は、フィールドスルーのために負極性の方が正極性よりも大きくなるので、これを相殺するためである。また、走査信号Ｇ1〜Ｇ480におけるＨレベルは、選択電圧ＶＨであり、Ｌレベルは非選択電圧ＶＬである。
【００２３】
図５においては、ｊ列目（ｊは１≦ｊ≦６４０を満たす整数）のデータ線に供給されるデータ信号ｄjについても示している。本実施形態において液晶素子１２０をノーマリーホワイトモードとしたとき、データ信号ｄjは、正極性であれば、白レベルの低位電圧Ｖw(+)から黒レベルの高位電圧Ｖb(+)までの範囲をとり、負極性であれば、正極性の電圧範囲を、基準電圧Ｖcを中心にして対称とした範囲、つまり白レベルの高位電圧Ｖw(-)から黒レベルの低位電圧Ｖb(-)までの範囲をとる。このとき、垂直帰線期間Ｆbでは、タイミングズレ等によって書き込まれたとしても表示に寄与させない等の理由により、黒レベルに表示とさせる電圧Ｖb(+)、Ｖb(-)となっている。
【００２４】
次に、液晶表示装置１における温度検出動作について図６を参照して説明する。
この温度検出動作は、例えば走査制御回路２０に上位回路から指示が与えられたとき、または、走査制御回路２０による自発的な指示が発生したときに、実行される。なお、上位回路から指示が与えられるときの例としては、例えば、階層的なメニュー画面を表示している場合に異なるメニュー画面への表示切り替えが指定されたときが考えられる。また、走査制御回路２０による自発的な指示が発生するときの例としては、電源投入直後における初期動作や、一定期間（例えば３０分）毎などが考えられる。
なお、以下においては、温度検出動作について３種類例示するので、区別するために、図６の内容については、温度検出動作（Ａ）として説明する。
【００２５】
走査制御回路２０は、温度検出動作（Ａ）を実行する場合、走査線駆動回路１３０に対して、走査信号Ｇ1〜Ｇ480をすべてＨレベルとなるように制御する。これにより、表示領域１０１におけるＴＦＴ１１６がすべてオン状態になる。一方、走査制御回路２０は、データ線駆動回路１４０に対して、データ信号ｄsにかかわらず、データ信号ｄ1〜ｄ640を、黒レベルに相当する正極性の電圧Ｖb(+)と、負極性の電圧Ｖb(-)とを交互に切り替えるように制御する。ここで、データ信号ｄ1〜ｄ640が電圧Ｖb(+)となる期間に着目すると、すべての液晶素子１２０では、画素電極１１８に、電圧Ｖb(+)が印加されることになる。一方、コモン電極１０８には、電圧ＬＣcomが印加されている。
なお、温度検出動作（Ａ）では、信号Ｇ1〜Ｇ480がすべてＨレベルとなるので、フィールドスルーやオフリークなどの影響を考慮する必要がない。このため、コモン電極１０８は、ビデオ振幅中心である基準電圧Ｖcと同じ電位にしても良い。
【００２６】
このように、液晶素子１２０では、コモン電極１０８には電圧ＬＣcom（または電圧Ｖc）が印加され、画素電極１１８には、より高位の電圧Ｖb(+)が印加されるので、液晶層１０５の抵抗成分ＲＬＣを介して、画素電極１１８からコモン電極１０８に向かう方向に電流が流れる。したがって、電圧ＬＣcomの給電線７０に介挿された抵抗素子６０の両端には、すべての液晶素子１２０の液晶層１０５に流れた電流の総計値と、該抵抗素子６０の抵抗値Ｒとの積で示される電圧が表れる。抵抗素子６０の両端電圧は、増幅回路５０によって係数αで電圧増幅された後、Ａ／Ｄ変換回路３４によってデジタル値に変換される。
ここで、データ信号ｄ1〜ｄ640によって電圧Ｖb(+)を画素電極１１８に印加した直後では、充放電に伴う過渡的な電流が液晶層１０５に流れる。このため、給電線７０に流れる電流波形（コモン電流波形）は、図６に示されるようなものとなり、データ信号ｄ1〜ｄ640が電圧Ｖb(+)が切り替わるタイミングでは、正側のピーク値Ｉ(+)maxとなる。
一方、本件で検出すべき対象は、抵抗成分ＲＬＣを反映させた電流であるから、抵抗素子６０の両端電圧をサンプリングするタイミングとしては、過渡的な電流が収束するタイミング、すなわち、データ信号ｄ1〜ｄ640が電圧Ｖb(+)が切り替わってから十分に時間が経過したタイミング、例えば、データ信号ｄ1〜ｄ640を負極性の電圧Ｖb(-)に切り替える直前タイミング、であることが望ましい。
このため、本実施形態では、温度出力回路３５は、Ａ／Ｄ変換回路３４によって変換されたデジタル値のうち、データ信号ｄ1〜ｄ640の電圧が切り替えられる直前のタイミングでサンプリングされた値を電流飽和（収束）値として用いる構成となっている。
なお、図６におけるコモン電流波形では、ゼロ点が重要となる。ここで、すべての画素電極１１８の電圧とコモン電極１０８の電圧ＬＣcomとが一致していれば、給電線７０に流れる電流はゼロのはずである。このため、電流検出動作の前に、走査信号Ｇ1〜Ｇ480をすべてＨレベルとし、データ信号ｄ1〜ｄ640を電圧ＬＣcomとすることによって、すべての画素電極１１８に電圧ＬＣcomに書き込んだ後、十分に時間が経過した定常状態における増幅回路５０の出力値を、電流ゼロ点として用いればよい。
【００２７】
温度出力回路３５は、第１に、デジタル値に変換された電圧を、抵抗値Ｒおよび係数αで除して、すべての液晶素子１２０の液晶層１０５に流れた電流であって、過渡的に流れる電流成分が排除された電流の総計値を求める。この総計値は、コモン電流波形（図６）において、Ｉ(n)に示される値に相当する。
液晶層１０５は、温度が上昇するにつれて比抵抗が下がり、逆に温度が下降するにつれて比抵抗が上がる、という半導体に似た性質を有する。このため、液晶層１０５に流れた電流の総計値についても、温度の上昇にほぼ比例して増加する特性となる。詳細には、コモン電流波形は、低温では、実線で示されるような特性となり、高温では、二点鎖線で示されるような特性となる。
したがって、該特性を利用すれば、電流の総計値から、液晶層１０５における温度を求めることができる。
このため、本実施形態では、液晶パネル１００における液晶層１０５について、図４（ａ）に示されるような、温度に対する電流の総計値の特性を、実験等により予め求めておくとともに、その特性情報（傾き、切片）を、温度出力回路３５に記憶させておく。そして、温度出力回路３５は、第２に、求めた電流の総計値から、特性情報を用いて、温度を算出して出力する。
【００２８】
なお、画素電極１１８に電圧Ｖb(+)が印加された状態を放置すると、液晶層１０５に直流成分が印加されてしまう。このため、データ線駆動回路１４０は、図６に示されるように、データ信号ｄ1〜ｄ640を、黒レベルに相当する負極性の電圧Ｖb(-)とする。すでに、データ信号ｄ1〜ｄ640を電圧Ｖb(+)としたときに電流を検出しているので、データ信号ｄ1〜ｄ640を負極性の電圧Ｖb(-)としたときには、電流を検出しなくても良い。しかしながら、電圧Ｖb(+)としたときの電流Ｉ(n)に加えて、電圧Ｖb(-)としたときの電流Ｉ(n+1)も検出して、両者絶対値の平均値から温度を算出して、誤差を小さくするようにしても良い。
【００２９】
さて、ルックアップテーブル３２では、温度出力回路３５によって出力された温度情報を含む温度域のテーブルが選択される。これにより、本実施形態では、液晶パネル１００の液晶層１０５の温度情報に応じて適切なルックアップテーブル３２が選択されるので、動画の表示特性が温度に依存して変化するという状況を改善することが可能となる。
【００３０】
ところで、液晶層１０５に流れる電流は、個別でみれば測定が困難な程度に微少であるが、温度検出動作（Ａ）では、走査信号Ｇ1〜Ｇ480をＨレベルにするとともに、データ信号ｄ1〜ｄ640を黒レベルに相当する正極性の電圧Ｖb(+)にすることによって、すべての画素において流れる電流の総計値を検出しているので、測定が十分可能である。
また、温度検出動作（Ａ）では、ＴＦＴ１１６をオンさせたときに、データ信号を黒レベルに相当する電圧Ｖb(+)として最高レベルとしているので、ＴＦＴ１１６の温度依存性による影響が小さくなり、より高精度の電流検出が可能となっている。
なお、温度検出動作（Ａ）では、温度出力回路３５が、特性情報を用いて、電流の総計値から温度情報を算出する構成としたが、電流の総計値に対する温度情報を、例えば図４（ｂ）に示されるように予めテーブルとして記憶しておくとともに、電流の総計値から、該テーブルを参照して、温度情報を出力する構成としても良い。このようにテーブルを用いて温度情報を出力する構成とすれば、温度出力回路３５において演算の必要がなくなり、構成の簡易化を図ることが可能となる。
【００３１】
次に、温度検出の別態様である温度検出動作（Ｂ）について図７および図８を参照して説明する。このうち、図７は、温度検出動作（Ｂ）の実行時における各部の信号波形を示す図である。
走査制御回路２０は、温度検出動作（Ｂ）を実行する場合、上述した温度検出動作（Ａ）と同様に、走査線駆動回路１３０に対し、図７に示されるように、走査信号Ｇ1〜Ｇ480をすべてＨレベルとなるように制御する。これにより、表示領域１０１におけるＴＦＴ１１６がすべてオン状態になる。
一方、走査制御回路２０は、温度検出動作（Ｂ）において、期間をＴa→Ｔb→Ｔc→Ｔd→（Ｔa）の順で循環させる。走査制御回路２０は、データ線駆動回路１４０に対して、期間Ｔa、Ｔb、Ｔc、Ｔdのいずれかであることを示す制御信号Ｘctrによって通知するとともに、データ信号ｄsにかかわらず、データ信号ｄ1〜ｄ640を、図７に示されるように期間Ｔaであれば正極性の中間調電圧Ｖg(+)とし、期間Ｔbであれば電圧Ｖcとし、期間Ｔcであれば負極性の中間調電圧Ｖg(-)とし、期間Ｔdであれば電圧Ｖcとする。ここで、電圧Ｖg(+)は、白と黒の間の中間階調に相当する正極性の電圧であり、電圧Ｖg(-)は、同中間階調に相当する負極性の電圧である。
なお、電流検出動作（Ｂ）は、同期信号Ｓyncとは無関係な動作である。このため、期間Ｔa〜Ｔdは、垂直走査信号とは無関係であるが、一致させて切り替えても良いし、例えば当該垂直走査信号の半分の周期で切り替えても良い。
【００３２】
温度検出動作（Ｂ）では、表示領域の１０１におけるＴＦＴ１１６のすべてがオン状態にあるので、すべての画素電極１１８には、同じ電圧がそれぞれ一括して印加されることになる。データ信号ｄ1〜ｄ640は、図７に示したように期間Ｔa、Ｔb、Ｔc、Ｔd毎に切り替わるので、画素電極１１８に印加されるデータ信号の電圧の切り替えに伴って、液晶素子１２０に電流が流れる。このとき、給電線７０には、各液晶素子１２０にそれぞれ流れた電流を総和した電流が流れる。給電線７０に流れる総和電流は抵抗素子６０によって電圧に変換される。
このため、コモン電流波形は、図７に示されるようなものとなっている、と考えられる。その理由について以下詳述する。
【００３３】
まず、コモン電流波形では、期間Ｔaの開始タイミングにおいて、液晶素子１２０に過渡的に流れる電流、すなわち、コモン電極１０８からみて画素電極１１８の電位が高くなる方向に切り替わることに伴う微分波形の第１ピークＡpが現れる。次に、コモン電流波形では、第１ピークＡpの後、液晶素子１２０の容量変化に伴う第２ピークＢpとが現れる。
同様に、期間Ｔcの開始タイミングにおいて、電流波形には、コモン電極１０８からみて画素電極１１８の電位が低くなる方向に切り替わることに伴う微分波形の第１ピークＡmと、期間Ｔcの開始タイミングからの液晶素子の容量変化に伴う第２ピークＢmとが現れる。
【００３４】
このうち、第１ピークＡp（Ａm）については、電流検出動作（Ａ）と同様に、液晶素子１２０の充放電に伴って流れる過渡的な電流を反映したものであり、ここでは無関係である。そこで以下については、第２ピークＢp（Ｂm）で示される液晶素子１２０の容量変化について説明する。
まず、画素電極１１８に印加される電圧が、期間Ｔaの開始タイミングにおいてＶcからＶg(+)に切り替わったとき、液晶素子１２０の印加電圧（当該画素電極に印加された電圧とコモン電極に印加された電圧との差）は、当該切り替わりに対し瞬時に変化するのに対し、光学応答である透過率は、同図に示されるように、印加電圧の変化に対して、緩慢に変化する（透過率が飽和するまで数マイクロ秒程度要する）。詳細には、ノーマリーホワイトモードにおける最高透過率Ｔmaxから、中間階調に相当する透過率Ｔgまで、緩慢に変化する。
次に、液晶素子１２０の容量は、画素電極１１８とコモン電極１０８との間に介在する誘電体としての液晶の分子配列状態（傾き）によって変化し、この傾きによって、透過率が決まる。このため、液晶素子１２０の容量は、液晶素子１２０の透過率に連動して変化することになる。
なお、液晶素子１２０では、印加電圧が高くなるにつれて、容量が高くなるが、本実施形態では、上述したようにノーマリーホワイトモードとしているので、透過率が低くなるにつれて容量が高くなる、という関係にある。
【００３５】
ところで、液晶素子１２０では、温度が上昇するにつれて、印加電圧の変化に対する容量（透過率）の応答性が向上する。このため、コモン電流波形が、図において、低温では太線で示されるような特性である場合に、高温では、細線で示されるような特性となる。
このため、第２ピークＢp（Ｂm）を特徴付ける値についても、温度に対して変化することになる。そこで、温度検出動作（Ｂ）では、第２ピークＢp（Ｂm）を特徴付ける値として、第２ピークの波高値と、期間Ｔa（Ｔc）の開始タイミングから第２ピークを迎えるまでの時間（到達時間）とに着目するとともに、電流検出動作（Ａ）と同様に電流飽和値についても合わせて（または選択的に）着目することにした。
【００３６】
なお、図７では、期間Ｔaにおける第２ピークの波高値をＩＬＣ(+)と、第２ピークの到達時間をｔs（+)と、電流飽和値をＩsat(+)と、それぞれ表記し、また、期間Ｔdにおける第２ピークの波高値をＩＬＣ(-)と、第２ピークの到達時間をｔs（-)と、電流飽和値をＩsat(-)と、それぞれ表記している。これらの値は、温度が高くなると、第２ピークの波高値は大きくなり、到達時間は短くなり、電流飽和値は大きくなる。
【００３７】
温度検出動作（Ａ）を実行する場合、温度出力回路３５では、特性情報を用いて、電流飽和値から温度情報を算出して出力する構成としたが、温度検出動作（Ｂ）を実行する場合には、電流飽和値については、予め温度との対応関係を求めてテーブルとして記憶する一方、検出した電流飽和値を、当該テーブルを参照して液晶層１０５の温度情報を出力する構成とする。なお、温度検出動作（Ａ）と同様に、特性情報を用いて、電流飽和値から温度を算出して出力する構成でも良い。
一方、第２ピークの波高値についても電流飽和値と同様に予め温度との対応関係を求めてテーブルとして記憶する一方、検出した波高値を、当該テーブルを参照して液晶層１０５の温度情報を出力する構成とする。到達時間についても同様に予め温度との対応関係を求めてテーブルとして記憶する一方、検出した到達時間を、当該テーブルを参照して液晶層１０５の温度情報を出力する構成とする。
【００３８】
図８は、温度検出動作（Ｂ）の処理動作を示すフローチャートである。図８のうち、（ａ）については、電流飽和値を検出して温度情報を出力する動作を示し、（ｂ）については、第２ピークの波高値を検出して温度情報を出力する動作を示し、（ｃ）については、第２ピークの到達時間を検出して温度情報を出力する動作を示している。また、図８（ａ）、（ｂ）および（ｃ）における上段は、それぞれ正極性および負極性のうち一方極性、ここでは正極性だけの値を検出して温度情報を出力する動作を示し、図８（ａ）、（ｂ）および（ｃ）における下段は、それぞれ正極性および負極性の両極性の値を検出して温度情報を出力する動作を示す。
このうち、（ａ）の上段について説明すると、温度出力回路３５は、ステップａ１１において、Ａ／Ｄ変換回路３４によって変換されたデジタル値のうち、期間Ｔaの終了直前（期間Ｔbの開始直前）のタイミングでサンプリングされた値を電流飽和値Ｉsat(+)とし、次のステップａ１４において、テーブルを参照して当該電流飽和値Ｉsat(+)を温度情報に変換して出力する。なお、このように温度情報が出力されたときに、ルックアップテーブル３２では、出力温度情報を含む温度域のテーブルが選択される。
次に、（ｂ）の上段について説明すると、温度出力回路３５は、ステップｂ１１において、Ａ／Ｄ変換回路３４によって変換されたデジタル値のうち、期間Ｔaにおける第１ピークＡpの次に現れる第２ピークＢpを特定して、その値を波高値ＩＬＣ(+)とし、ステップｂ１４において、テーブルを参照して当該波高値ＩＬＣ(+)を温度情報に変換して出力する。なお、第２ピークＢpについては、期間Ｔaの開始直後に電流が増加から減少に転じる部分を特定すれば良い。
また、（ｃ）の上段について説明すると、温度出力回路３５は、ステップｃ１１において、期間Ｔaの開始から第２ピークを迎えるまでの到達時間ｔs(+)を測定し、次のステップｃ１４において、テーブルを参照して当該到達時間ｔs(+)を温度情報に変換して出力する。
このように、温度検出動作（Ｂ）によれば、電流飽和値のほかに、第２ピークの波高値または到達時間から液晶層１０５の温度情報を出力することができる。なお、ここでは、正極性の値について着目したが、負極性の値について着目しても良い。
【００３９】
なお、図８（ａ）における下段は、上段のステップａ１１後のステップａ１２において、温度出力回路３５が、Ａ／Ｄ変換回路３４によって変換されたデジタル値のうち、期間Ｔcの終了直前（期間Ｔdの開始直前）のタイミングでサンプリングされた値を電流飽和値Ｉsat(-)とし、次のステップａ１３において、電流飽和値Ｉsat(+)、Ｉsat(-)の絶対値の平均値を求めて、ステップａ１４において、テーブルを参照して当該平均値を温度情報に変換して出力する、という手順を示している。
また、図８（ｂ）における下段は、上段のステップｂ１１後のステップｂ１２において、温度出力回路３５が、Ａ／Ｄ変換回路３４によって変換されたデジタル値のうち、期間Ｔcにおいて第１ピークＡmの次に現れる第２ピークＢmを特定してその値を波高値ＩＬＣ(-)とし、次のステップｂ１３において、波高値ＩＬＣ(+)、ＩＬＣ(-)の絶対値の平均値を求めて、ステップｃ１４において、テーブルを参照し、当該平均値を温度情報に変換して出力する、という手順を示している。なお、第２ピークＢmについては、期間Ｔcの開始直後に電流が減少から増加に転じる部分を特定すれば良い。
図８（ｃ）における下段は、上段のステップｃ１１後のステップｃ１２において、温度出力回路３５が、期間Ｔcの開始から第２ピークを迎えるまでの到達時間ｔs(-)を測定し、次のステップｃ１３において、到達時間ｔs(+)、ｔs( -)の平均値を求めて、ステップｃ１４において、テーブルを参照し、当該平均値を温度情報に変換して出力する、という手順を示している。
一方の極性だけに着目すると、正負極性がアンバランスである場合に正確性に欠けてしまうときもあり得るが、このように、正極性および負極性の平均値に基づくことによって、より正確に液晶層１０５の温度を検出することが可能となる。なお、ここでは、正極性および負極性の値を、それぞれ１回検出したが、各２回以上測定して、これらの平均値に基づいて液晶層１０５の出力を検出しても良い。
【００４０】
このように、温度検出動作（Ｂ）については、電流飽和値、第２ピークの波高値または到達時間のいずれか１つの値から液晶層１０５の温度を検出することが可能であるが、測定精度については、第２ピークの波高値、第２ピークの到達時間、電流飽和値の順で高いと考えられる。このため、例えばこれらの３つの値からそれぞれ温度を求めるとともに、求めた温度を、精度の高い順で重み付けなどして求めても良い。
【００４１】
第１実施形態では、温度検出動作（Ａ）および（Ｂ）のいずれにおいても、コモン電流波形から液晶層の温度情報を出力するので、液晶パネル１００の近傍に温度センサーを設ける必要がない。さらに、抵抗素子６０についても給電線７０に介挿すれば良いので、上記ＦＰＣ基板等に設ければ済む。このため、抵抗素子６０を設けるにあたって、実装上の制限もほとんどない。
さらに、液晶層の温度を、当該温度を反映したコモン電流波形から求めているので、液晶パネル１００の近傍に設けた温度センサーと比較すると、より正確に温度を検出することができる、ということもできる。
【００４２】
ところで、上記特許文献１には、補助容量（蓄積容量）電極に交流電源を接続するとともに、該補助容量電極に流れる電流を交流電流計により測定し、該補助容量電極の抵抗値を求めて、該抵抗値から液晶パネル１００の温度を算出する点が記載されている。
しかしながら、補助容量電極の抵抗値は、電極という性格上、ゼロに近い。このため、温度に応じて補助容量電極の抵抗値が変化しても、その抵抗変化が、交流電流計の内部抵抗に比べて小さいので、実際には、かなりの測定誤差を伴うと考えられる。
また、補助容量電極に、抵抗測定用の交流電源を接続するにあたっては、液晶層が応答しないように周波数を高くする必要がある（１〜２ＭＨｚ程度）。このように高周波数の電流を測定するには、少なくとも２倍以上のサンプリング周波数が必要となるので、交流電流計の構成も複雑化する。
これに対して、本実施形態では、電圧ＬＣcomを供給する給電線７０に流れる電流を、抵抗素子６０によって電圧に変換して検出しているだけなので、測定誤差も小さいし、高周波数に対応するための複雑な交流電流計も不要である。
【００４３】
さらに、第１実施形態では、電流検出動作において、すべての液晶素子１２０に流れる電流の総計値を検出する構成としたが、例えば、表示領域１０１外であってシール材１５２の枠内に、ダミーの走査線と画素とを設けるとともに、垂直帰線期間Ｆbに該ダミーの走査線に選択電圧を印加する一方、データ線１１４に例えば黒レベル相当電圧Ｖb(+)、Ｖb(-)をデータ信号として供給する構成としても良い。垂直帰線期間Ｆbでは、表示領域１０１が保持期間であり、画素電極１１８が電気的にどの部分にも接続されない状態であるので、ＴＦＴ１１６のオフリークが無視できる程度に小さければ、表示領域１０１に属する液晶素子１２０には電流が流れず、ダミーの走査線に対応する液晶素子１２０だけに電流が流れることになる。このため、抵抗素子６０に流れる電流は、該ダミーの走査線に対応する液晶素子の液晶層に限定されるので、量的には少なくなるが、表示動作において表示領域１０１による表示画面に影響を与えることなく、電流を検出することが可能となる。
【００４４】
＜第２実施形態＞
次に、本発明の第２実施形態について説明する。図９は、第２実施形態に係る液晶表示装置１の構成を示す図である。この図が、図１に示した第１実施形態と相違する部分は、構成的には、図１におけるＡ／Ｄ変換回路３４の前段（入力側）に、増幅回路５０による出力信号の低周波数成分だけを通過させるローパスフィルター（ＬＰＦ）８０を設けた点にある。また、動作的には、第２実施形態における温度検出動作（Ｃ）では、走査線駆動回路１３０を、図１０に示されるように表示モードと同様に順番に走査線を選択する線順次駆動とした点において、第１実施形態における温度検出動作（Ａ）および（Ｂ）と相違している。
このように線順次駆動とした場合、コモン電流波形は、同図に示されるような各行での選択による電流波形を、すなわち、走査信号Ｇ1、Ｇ2、Ｇ3、…、Ｇ480がＨレベルとなったときに現れる電流波形を、それぞれ重ね合わせたものとなる。この重ね合わせた波形のうち、第１ピークに相当する瞬時電流の成分は、周波数が高いので、ＬＰＦ８０によってカットされるため、ＬＰＦ８０からは、同図で示されるように、周波数成分が低い第２ピークの波高値を積分した成分が出力される。
なお、温度が高くなるにつれて第２ピークの波高値は、上述したように絶対値でみて高くなる。
【００４５】
したがって、温度出力回路３５は、ＬＰＦ８０の出力信号をデジタル変換したデジタルデータから、正極性電圧の印加に伴う第２ピークの積分成分の振幅Ｉp、または、負極性電圧の印加に伴う第２ピークの積分成分の振幅Ｉmの一方、もしくは、その双方の絶対値の平均値を求めて、これを予め温度との対応関係を記憶したテーブルを参照して、温度情報を出力すれば良い。
これにより、第２実施形態によれば、第１実施形態の温度検出動作（Ｂ）と比較して、走査線駆動回路１３０を、表示動作から変更する必要がなくなり、さらに、波形処理して第２ピーク値を特定する必要もなくなる。
【００４６】
＜第３実施形態＞
次に、本発明の第３実施形態について説明する。第１および第２実施形態は、液晶の応答性を補償するためのルックアップテーブル３２を、検出した温度情報に応じて切り替えるものであったが、検出した温度情報に応じた制御については、これに限られない。
そこで、検出した温度情報に応じた制御の他の例として、温度情報が変化しても、透過率の変化を抑える制御を実行する第３実施形態について説明する。
【００４７】
図１１は、第３実施形態に係る液晶表示装置１の構成を示す図である。この図が、図１に示した第１実施形態と相違する部分は、構成的には、図１におけるフレームメモリー３１が廃止されるとともに、ルックアップテーブル３２がルックアップテーブル３７に置き換わった点にある。以下、この相違点を中心に説明する。
【００４８】
映像信号Ｖdで指定される階調レベルと液晶素子１２０の透過率との関係は、リニアな特性ではなく、図１２（ａ）に示されるように人の被視感度を考慮して、ガンマ係数が２．２であるような弓なりの特性に設定される。一方、ノーマリーホワイトモードである場合、液晶素子１２０の印加電圧（Ｖ）と透過率（Ｔ）との関係（いわゆるＶ−Ｔ特性）は、図１２（ｂ）に示される通りである。
このため、第１に、映像信号Ｖdで指定される階調レベルに対応する透過率を、図１２（ａ）のガンマ特性を参照して求め、第２に、求めた透過率とするための印加電圧を、図１２（ｂ）のＶ−Ｔ特性を参照して求めて、液晶素子に印加する、という手法が採られる。
【００４９】
ところで、Ｖ−Ｔ特性は、同図において、低温状態において太線で示される特性である場合に、高温状態では細線で示される特性で変化する、すなわち、温度が高くなると、より低い電圧領域で透過率が変化する。
そこで、本実施形態では、図１２（ｃ）に示されるように、階調レベルと印加電圧との対応関係を記したルックアップテーブル３７を、例えば低温用と高温用とで２つ用意しておくとともに、適用するルックアップテーブルを、温度出力回路３５によって出力される温度情報に応じて決定する構成とした。
【００５０】
これにより、図１２の例でいえば、映像信号Ｖdで指定される階調レベルがＤtであるとき、温度出力回路３５によって出力される温度情報が閾値以下であれば、低温状態と判別し、液晶素子の印加電圧を２．７Ｖに指定する映像信号Ｖdbを出力する一方、温度情報が閾値を上回れば、高温状態と判別して、液晶素子の印加電圧を２．５Ｖに指定する映像信号Ｖdbを出力することになる。映像信号Ｖdbは、Ａ／Ｄ変換回路３４によって、指定された電圧の分だけ基準電圧Ｖcよりも高位または低位側とさせたデータ信号ｄsに変換される。
これによって、液晶素子１２０における実際の透過率が、低温状態から高温状態に移行したときであっても、階調レベルＤtで指定される透過率から変化してしまうのを抑えることが可能となる。
【００５１】
ルックアップテーブル３７については、低温用と高温用との２つのみならず、３つ以上用意しても良い。また、図１２については、映像信号Ｖdが１０ビットであり、「０」から「１０２３」までの１０２４段階で階調レベルを指定する例であって、これらの階調レベルに対応する印加電圧については、単なる例示に過ぎない。
求めた温度情報にしたがった制御としては、液晶の応答性の補償や、透過率の変化を抑えるなどのほか、例えば液晶パネル１００を冷却するファンの回転数を制御するなどが想定される。
【００５２】
なお、各実施形態では、液晶層１０５に流れた電流を、給電線７０に介挿された抵抗素子６０によって電圧に変換し、該電圧から温度情報に算出して出力する構成としたが、抵抗素子６０に限られず、ホール素子や、カレント・トランスによって液晶層に流れる電流を検出する構成としても良い。給電線７０にホール素子を介挿し、または、カレント・トランスに給電線７０を通すことで、液晶層１０５に流れる電流に応じて発生する磁界を電気信号として取り出すことができるので、この電気信号を前記液晶層に流れる電流に応じた値として、この値に基づいて温度情報を算出して出力することができる。
また、ノーマリーホワイトモードではなくノーマリーブラックモードとしても良いし、透過型ではなく、反射型としても良いのはもちろんである。
また、各実施形態では、液晶パネル１００を縦電界方式の液晶パネルとして記載したが、ＦＦＳ（Fringe Field Switching）やＩＰＳ（in-plane switching）などの横電界方式の構成であってもよい。すなわち、縦電界方式の場合は、画素電極１１８をＴＦＴアレイ基板１５０上に配置し、コモン電極１０８を対向基板１５１上に配置しているが、横電界方式の場合には、画素電極１１８とコモン電極１０８をＴＦＴアレイ基板１５０上に配置して、画素電極１１８とコモン電極１０８にそれぞれ第２電圧と第１電圧を印加することで、液晶層を駆動する。
【００５３】
＜電子機器＞
次に、実施形態に係る液晶表示装置１を用いた電子機器の一例を説明する。図１３は、液晶表示装置１における液晶パネル１００をライトバルブとして用いたプロジェクターの構成を示す平面図である。
この図に示されるように、プロジェクター２１００の内部には、ハロゲンランプ等の白色光源からなるランプユニット２１０２が設けられている。このランプユニット２１０２から射出された投射光は、内部に配置された３枚のミラー２１０６および２枚のダイクロイックミラー２１０８によってＲ（赤）、Ｇ（緑）、Ｂ（青）の３原色に分離されて、各原色に対応するライトバルブ１００Ｒ、１００Ｇおよび１００Ｂにそれぞれ導かれる。なお、Ｂは、他のＲやＧと比較すると、光路が長いので、その損失を防ぐために、入射レンズ２１２２、リレーレンズ２１２３および出射レンズ２１２４からなるリレーレンズ系２１２１を介して導かれる。
【００５４】
このプロジェクター２１００では、液晶パネル１００を含む電気光学装置が、Ｒ、Ｇ、Ｂの各色に対応して３組設けられる。そして、Ｒ、Ｇ、Ｂの各色成分に対応する映像信号がそれぞれ外部上位回路から供給されて、フレームメモリーに記憶される構成となっている。ライトバルブ１００Ｒ、１００Ｇおよび１００Ｂの構成は、上述した液晶パネル１００と同様である。
ライトバルブ１００Ｒ、１００Ｇ、１００Ｂによってそれぞれ変調された光は、ダイクロイックプリズム２１１２に３方向から入射する。そして、このダイクロイックプリズム２１１２において、ＲおよびＢの光は９０度に屈折する一方、Ｇの光は直進する。したがって、各色の画像が合成された後、投射レンズ２１１４によってカラー画像がスクリーン２１２０に投射されることとなる。
【００５５】
なお、ライトバルブ１００Ｒ、１００Ｇおよび１００Ｂには、ダイクロイックミラー２１０８によって、Ｒ、Ｇ、Ｂの各原色に対応する光が入射するので、カラーフィルタを設ける必要はない。また、ライトバルブ１００Ｒ、１００Ｂの透過像は、ダイクロイックプリズム２１１２により反射した後に投射されるのに対し、ライトバルブ１００Ｇの透過像はそのまま投射されるので、ライトバルブ１００Ｒ、１００Ｂによる水平走査方向は、ライトバルブ１００Ｇによる水平走査方向と逆向きにして、水平方向の左右を反転させた像を表示する構成となっている。
【００５６】
液晶パネル１００をライトバルブに用いる例としては、図１３を参照して説明したプロジェクターの他にも、リヤ・プロジェクション型のテレビジョンが挙げられる。また、液晶パネル１００については、ミラーレスのレンズ交換式のデジタルカメラや、ビデオカメラなどにおける電子ビューファインダー（ＥＶＦ）にも適用可能である。
このほかにも、適用可能な電子機器として、ヘッドマウントディスプレイや、カーナビゲーション装置、ページャー、電子手帳、電卓、ワードプロセッサー、ワークステーション、テレビ電話、ＰＯＳ端末、デジタルスチルカメラ、携帯電話機、タッチパネルを備えた機器等などが挙げられる。そして、これらの各種の電子機器に対して、上記液晶表示装置が適用可能なのは言うまでもない。
【符号の説明】
【００５７】
１…液晶表示装置、２０…走査制御回路、３０…データ処理回路、３１…フレームメモリー、３２、３７…ルックアップテーブル、３５…温度出力回路、４０…コモン電極駆動回路、６０…抵抗素子、７０…給電線、８０…ローパスフィルター、１００…液晶パネル、１０８…コモン電極、１１０…画素、１１２…走査線、１１４…データ線、１１６…ＴＦＴ、１２０…液晶素子、１３０…走査線駆動回路、１４０…データ線駆動回路、１５０…ＴＦＴアレイ基板、１５１…対向基板、２１００…プロジェクター
【図１】
2011118048.tif 000003
【図２】
2011118048.tif 000004
【図３】
2011118048.tif 000005
【図４】
2011118048.tif 000006
【図５】
2011118048.tif 000007
【図６】
2011118048.tif 000008
【図７】
2011118048.tif 000009
【図８】
2011118048.tif 000010
【図９】
2011118048.tif 000011
【図１０】
2011118048.tif 000012
【図１１】
2011118048.tif 000013
【図１２】
2011118048.tif 000014
【図１３】
2011118048.tif 000015